(57)【特許請求の範囲】
【請求項１】
魚釣用リールであって、ドラグ機構と、該魚釣用リールの軸を中心として回転するよう取り付けられ、且つ前記ドラグ機構と当接することにより回転が減速されるよう位置決めされるスプールとを有し、前記当接により熱が発生し、該熱によって前記スプールが軸線方向に熱膨張するものであり、
前記スプールの前記軸を中心とした回転を支承するためのベヤリング手段を有し、
前記ベヤリング手段は複数のベヤリングを有しており、
前記ベヤリングのうち第１のベヤリングは、前記ドラグ機構に対して遠位に位置し、且つ前記スプールのポケット内に取り付けられており、これにより該第１のベヤリングの外周と該スプールとの間の摩擦力以外の力で該スプールを軸線方向に抑制することなく該スプールと当接するものであり、
前記ベヤリングのうち第２のベヤリングは、前記ドラグ機構に対して近位に位置し、且つ軸線方向位置に前記スプールに固定された状態で前記スプール内の段差に接して保持されているものである
魚釣用リール。
【請求項２】
請求項１記載の魚釣用リールにおいて、前記第１のベヤリングおよび前記第２のベヤリングは前記軸に取り付けられており、スリーブは前記第１のベヤリングと前記第２のベヤリングとの間の前記軸に取り付けられているものである。
【請求項３】
請求項１記載の魚釣用リールにおいて、少なくとも１つのスプリング手段は前記第１のベヤリングと前記第２のベヤリングとの間にあるものである。
【発明の詳細な説明】
【０００１】
【発明に属する技術分野】
本発明は、魚釣用リールに関し、さらに詳しく言えば、リールの"ドラグ"（ｄｒａｇ）機構の係合により生じる熱膨張の影響を低減させるよう設計された構造に関する。
【０００２】
【従来の技術】
従来の魚釣用リールにおいては、ライン上に張力を作用させるようリールのスプールと係合するドラグ（ｄｒａｇ）ワッシャーを備えていることは一般的なことである。例えば、米国特許第４，８７１，１２９号と第５，２１９，１３１号と第５，６０１，２４５号と第４，５１６，７４１号とを参照されたい。米国特許第４，５１６，７４１号は、スプールが２つのベヤリング３と６との間で横方向に係止されている一般的なシステムを開示している。このシステムではスプールを熱膨張させる余裕はない。ラインが動作するかまたは巻き上げられるにしたがって、ドラグ摩擦プレートが擦れあって熱が発生する。ラインを巻き上げるスプールは熱によって膨張するので、スプールに絡み付きが生じる傾向があり、この傾向は（車輪が依然として回転している間、ブレーキをかけたとき、制動表面が発熱するのと同じやり方で）ドラグに影響を与える。
【０００３】
本発明とは異なった機構であるが、熱の発生の問題を認識したと思われる１つの特許が、米国特許第５，３１８，２４５号である。
【０００４】
【発明が解決しようとする課題と課題を解決するための手段】
発熱の影響を低減するため、本発明者は、スプールが膨張するにしたがってスプールが締まって、効果的なドラグを変化させる傾向がないようスプールを取り付けるやり方を発見したのである。そのやり方とは、スプール・ベヤリングをスプール・ポケット内で遊動させる手段のことである。ドラグ機構と１つの軸の回りで回転するよう取り付けられていて、前記ドラグ機構と係合し、スプールの回転を遅くするために該ドラグ機構と係合するよう位置ぎめされているスプールを備えた魚釣用リールで、前記係合が熱を作りだし、該熱が軸方向に熱膨張を引き起こすようになっている魚釣用リールにおいて、ベヤリング取り付け手段がスプールの軸方向に熱膨張することを可能ならしめるようにスプールを支承しており、これにより前記スプールが軸方向に抑制されたときに生じるドラグ力の増加を低減し、而して、前記ベヤリング手段がさらに、複数のベヤリングより成り、この複数のベヤリングのうちの１つが摩擦力以外の力でスプールを抑制することなくスプールの外周上で前記スプールを係合させるよう前記スプールのポケット内に取り付けられるよう構成された魚釣用リールが本発明に従って提供されたのである。
【０００５】
さらに、ベヤリング取り付け手段はもっとも好適には、２つのベヤリングがスリーブにより互いに隔置されている状態で前記スプールを支承しており、而かも、少なくとも１つのスプリング手段と係合するよう構成されていることが好ましい。スプリング手段は、少なくとも１つ又はそれ以上のスプリングより成り、好適には複数のスプリング・ワッシャーより成ることが好ましい。
【０００６】
本発明の１つの実施形態においては、２つのベヤリングは前記スプールを支承していて、該ベヤリングのうちの１つは前記スプールのスロット内に取り付けられた保持リングにより前記スプール内で段差に当接した状態で一定の軸方向の位置に保持されている。別の実施形態では、２つのベヤリングが前記スプールを支持していて、該ベヤリングのうちの１つが、前記スプールのスロット内に取り付けられた保持リングにより前記スプール内で段差に当接した状態で一定の軸方向の位置に保持されており、複数のスプリング・ワシャーが、前記ベヤリングを支承するシャフト上に軸方向に固定されている保持リングに当接した状態でかつ前記ベヤリングと保持リングとの間に取り付けられているのである。
【０００７】
【発明の実施の形態】
以下、本発明の好適な実施形態を図解した添付図を参照しながら本発明を詳細に説明する。添付図面を参照すれば、図１（第１実施例）は、参照数字９により代表的に表示されているリールの横断面図を示しており、該リール９は、スプール１３が取り付けられている駆動シャフト１１を備えている。スプール１３がシャフト１１の回りで自由に回転することができるようスプール１３をシャフト１１上に取り付けるためにベヤリングがあり、該ベヤリングは参照数字１０と１２により表示されている。ベヤリング１２は、スプール１３上で内側の段差に当接して嵌め込まれており、他方のベヤリング１０は、図示のように、内側の段差１５から隔置された状態に取り付けられている。ベヤリング１０と１２との間において、スリーブ１６と参照数字１８により代表的に表示されている複数のスプリング・ワッシャーが設けられている。スプリング・ワッシャー１８と勝手反対にあるベヤリング１０の側部はスペーサー２０と係合しており、次に該スペーサー２０はシャフト１１の段差と係合している。スプール１３は、熱で膨張する部材である。図１に示されているように、単一のドラグリールに使用される新しいドラグシステムについて注記しなければならないことは、スペーサー２０に当接して右から左に圧力が加わると、この圧力はベヤリング１０に作用する力に変形し、この力はスプリング・ワッシャー１８とスリーブ１６と左端にあるベヤリング１２を押圧する。スプール１３内に固定されている保持リング２４はベヤリング１２と係合している。従って、スプール１３に作用した力は、参照数字２２により代表的に表示されているドラグワッシャー（ｄｒａｇ ｗａｓｈｅｒ）に当接した状態でスプール１３に押圧する。
【０００８】
しかし、ベヤリング１０はスプール１３の中で代表的に参照数字２６により表示されているポケット内で遊動するので、スプール１３は、（代表的に参照数字２１により表示されている）ドラグ機構手段（ｄｒａｇ ｍｅｃｈａｎｉｓｍｍｅａｎｓ）に堆積した熱により生じた熱膨張に応答して右の方へ自由に移動することができる。
【０００９】
単一のドラグリールに使用される新しいドラグシステムの別の実施形態を図解した図２（第２実施例）を参照すれば、図１の第１実施例に示されている実施形態と異なっている唯一の相違点は、図１に示されているタイプの保持リング２４がスペーサー２８と置き換わっていることである。第２のベヤリング１２は、前記図１の実施例に於ける保持リング２４ではなくてスペーサー２８を押圧する。ドラグプレート３０はスプール１３に固定されていて、またドラグプレート３０はドラグ機構手段のドラグワッシャー３２に当接して状態で押圧を行う。また、第１のベヤリング１０は、スプール１３のポケット２６内で遊動している。
【００１０】
単一のドラグリールに使用される新しいドラグシステムの別の実施形態が図３（第３実施例）に図解されている。この実施形態においては、保持リング３３と（参照数字３５により代表的に表示されている）複数のスプリング・ワッシャーが、上記の２つの図面（第１実施例、第２実施例）のスリーブ１６とスプリング・ワッシャー１８の代わりに使用されている。
【００１１】
従来の二元的なドラグリール（ｄｕｒａｌ ｄｒａｇ ｒｅｅｌ）とスプール機構が図４に図解されている。２つのドラグプレート４０と４２がスプール２３に取り付けられたプレート４６に当接していることは容易に理解していただけよう。ベヤリング５０は、ベヤリング５１と同様、スプール２３の段差に直接当接している。
【００１２】
本発明を図４に図示のタイプの従来の装置に適用すると、ベヤリングがポケット内に収容されている図１に示されているものと同様の配置が行われることになる。図５に図示のように、複数のスプリング・ワッシャーがスリーブ１６に当接し、次に該スリーブ１６が保持リング２４に当接する。前記スリーブ１６はベヤリングに当接した状態で押圧を行い、次に、該ベヤリングの作用によりドラグ機構は係合を強いられることになる。熱が堆積するにしたがって、リール６３のポケット内に位置ぎめされている一番外側のベヤリング６１のおかげでリールは熱膨張することができるのであって、前記リール６３は昇温しながら自由に右に向かって移動することができる。
【００１３】
もっとも広い意味では、本発明は、スプールとドラグ装置との間の接触から離れる方向にスプールが膨張することができるよう装置の中に少なくとも１つのベヤリングを載置することより成るものである。
【００１４】
以下、本発明の好ましい実施の態様を列挙する。
【００１５】
１．２つのベヤリング１０，１２が、スリーブにより互いに隔置された状態で前記スプール１３を支持しており、而かも、少なくとも１つのスプリング手段が前記ベヤリング１０と係合していることを特徴とする請求項１記載のベヤリング取り付け手段。
【００１６】
２．スプリング手段が１つのスプリング・ワッシャー１８（又は３５）より成ることを特徴とする前記第１項〔００１５〕に記載のベヤリング取り付け手段。
【００１７】
３．スプリング手段が複数のスプリング・ワッシャー１８（又は３５）より成ることを特徴とする前記第１項〔００１５〕に記載のベヤリング取り付け手段。
【００１８】
４．２つのベヤリング１０，１２が前記スプール１３を支持していて、該ベヤリングのうちの１つ１２が、前記スプール１３のスロット内に取り付けられた保持リング２４により前記スプール１３内で段差に当接した状態で一定の軸方向の位置に保持されていることを特徴とする請求項１記載のベヤリング取り付け手段。
【００１９】
５．２つのベヤリング１０，１２が前記スプール１３を支持していて、該ベヤリングのうちの１つ１２が、前記スプール１３のスロット内に取り付けられた保持リング２４により前記スプール１３内で段差に当接した状態で一定の軸方向の位置に保持されており、複数のスプリング・ワッシャー３５が、前記ベヤリング１０，１２を支持するシャフト１１上に軸方向に固定されている保持リング２４に当接した状態でかつ前記ベヤリング１２と保持リング３３との間に取り付けられていることを特徴とする請求項１記載のベヤリング取り付け手段。
【図面の簡単な説明】
【図１】図１は、スプールが取り付けられている駆動シャフトを備えるよう設計された魚釣用リールの一部の横断面図である。
【図２】図２は、本発明に係る新しいドラグシステムの他の実施形態を示す図１に類似した横断面図である。
【図３】図３は、本発明に係る新しいドラグシステムの別の実施形態を示す横断面図である。
【図４】図４は、従来の二元的なドラグリールとスプールを示す横断面図である。
【図５】図５は、本発明に係るドラグシステムの更に他の実施形態を図解した横断面図である。
【符号の説明】
９  リール
１０  ベヤリング
１１  駆動シャフト
１２  ベヤリング
１３  スプール
１５  内側の段差
１６  スリーブ
１８  スプリング・ワッシャー
２０  スペーサー
２１  ドラグ機構手段
２２  ドラグワッシャー
２３  スプール
２４  保持リング
２６  ポケット
２８  スペーサー
３０  ドラグプレート
３２  ドラグワッシャー
３３  保持リング
３５  スプリング・ワッシャー
４０  ドラグプレート
４２  ドラグプレート
５０  ベヤリング
５１  ベヤリング
６１  ベヤリング
６３  スプール
【図１】
0004024447.tif 000002
【図２】
0004024447.tif 000003
【図３】
0004024447.tif 000004
【図４】
0004024447.tif 000005
【図５】
0004024447.tif 000006